(57)【要約】【課題】顕著な脱臭効果を有し、遠赤外線作用により健康の増進を図り得る健康増進布状体、並びにこれを備えた頭部装着体、シーツ又は下着を提供する。【解決手段】健康増進布状体１０，１０Ａ，１０Ｂ，１０Ｃ，１０Ｄは、通気性のある外装体１００の内部に、粒径が１５０μｍ〜６００μｍの多数の超多孔質の球状微粒子活性炭１２を収蔵させたことを特徴とする。【選択図】図１
2018062729.tif 000002
【特許請求の範囲】
【請求項１】
通気性のある外装体の内部に、粒径が１５０μｍ〜６００μｍの多数の超多孔質の球状微粒子活性炭を収蔵させたことを特徴とする健康増進布状体。
【請求項２】
請求項１において、
前記球状微粒子活性炭は、炭化させたフェノール樹脂で構成された比表面積が２，５００ｍ２／ｇ以上のものであることを特徴とする健康増進布状体。
【請求項３】
請求項１又は２において、
前記球状微粒子活性炭には、抗菌剤、消臭剤、芳香剤のうち少なくとも一つが収蔵されていることを特徴とする健康増進布状体。
【請求項４】
請求項１〜３のいずれか１項において、
前記外装体は、内袋を備えており、そこに前記球状微粒子活性炭を収容させていることを特徴とする健康増進布状体。
【請求項５】
請求項１〜３のいずれか１項において、
前記外装体は、一方側部材と他方側部材とによって構成され、
前記球状微粒子活性炭は、前記一方側部材の一方面に塗布された加熱硬化時にひび割れを生じる樹脂層内に浸された状態で、該一方面上に被せた他方側部材との間でサンドイッチ状に固着状態とされていることを特徴とする健康増進布状体。
【請求項６】
請求項１〜３のいずれか１項において、
前記外装体には多数の細孔を有したクッション材が内装されており、該細孔に前記球状微粒子活性炭が保持されていることを特徴とする健康増進布状体。
【請求項７】
請求項１〜３のいずれか１項において、
前記外装体には熱接着性を有した接着芯地が内装されており、該接着芯地の接着面に前記球状微粒子活性炭が保持されていることを特徴とする健康増進布状体。
【請求項８】
請求項１〜７のいずれか１項に記載された健康増進布状体を有する頭部装着体であって、
前記健康増進布状体を、該頭部装着体における頭部に対面する面に設けたことを特徴とする頭部装着体。
【請求項９】
請求項８において、
前記健康増進布状体の表面には、炭素材で構成した突起が設けられていることを特徴とする頭部装着体。
【請求項１０】
請求項１〜７のいずれか１項に記載された健康増進布状体で構成されたシーツ又は下着。
【発明の詳細な説明】
【技術分野】
【０００１】
本発明は、顕著な脱臭効果を有し、遠赤外線作用により健康の増進を図ることのできる健康増進布状体、並びにこれを備えた頭部装着体、シーツ又は下着に関する。
【背景技術】
【０００２】
従来より、体臭の除去を目的とした種々の商品が提案されている。例えば、下記特許文献１には、活性炭からなる脱臭材を含んで構成される健康シーツの開示があり、この活性炭の作用により、病人や寝たきり老人などの体臭を除去するものとされている。
【０００３】
また、この健康シーツが含む活性炭は遠赤外線を放射するので、身体がシーツからの遠赤外線を吸収して暖められ、結果として血流が促進されて、ある程度健康が増進されるものと考えられる。
【先行技術文献】
【特許文献】
【０００４】
【特許文献１】実用新案登録第３０１０５５９号
【発明の概要】
【発明が解決しようとする課題】
【０００５】
しかしながら、上記特許文献１の健康シーツが含む活性炭は、粒状または粉状とされたありふれた構成のものであるので、加齢臭などの強い臭気に対する脱臭効果は十分とは言えない。また、多量の遠赤外線が放射されているとは言えないので、十分な健康増進効果を有するとは考えられず、更なる改善が求められる。
【０００６】
本発明は、上記の点を鑑みて提案されたものであり、その目的は、顕著な脱臭効果を有し、遠赤外線作用により健康の増進を図り得る健康増進布状体、並びにこれを備えた頭部装着体、シーツ又は下着を提供することにある。
【課題を解決するための手段】
【０００７】
上記目的を達成するために、本発明に係る健康増進布状体は、通気性のある外装体の内部に、粒径が１５０μｍ〜６００μｍの多数の超多孔質の球状微粒子活性炭を収蔵させたことを特徴とする。
【０００８】
本発明においては、前記球状微粒子活性炭を、炭化させたフェノール樹脂で構成し、比表面積が２，５００ｍ２／ｇ以上のものとしてもよい。
【０００９】
また、本発明においては、前記球状微粒子活性炭に、抗菌剤、消臭剤、芳香剤のうち少なくとも一つを収蔵するようにしてもよい。
【００１０】
さらに、本発明においては、前記外装体を、内袋を備えたものとし、そこに前記球状微粒子活性炭を収容させるようにしてもよい。
【００１１】
さらにまた、本発明においては、前記外装体を一方側部材と他方側部材とによって構成し、前記球状微粒子活性炭は、前記一方側部材の一方面に塗布された加熱硬化時にひび割れを生じる樹脂層内に浸された状態で、該一方面上に被せた他方側部材との間でサンドイッチ状に固着状態とされたものとしてもよい。
【００１２】
また、本発明においては、前記外装体には多数の細孔を有したクッション材が内装され、前記細孔に前記球状微粒子活性炭が保持されたものとしてもよい。
【００１３】
さらに、本発明においては、前記外装体には熱接着性を有した接着芯地が内装され、該接着芯地の接着面に前記球状微粒子活性炭が保持されたものとしてもよい。
【００１４】
上記目的を達成するために、本発明に係る頭部装着体は、前記健康増進布状体を有する頭部装着体であって、前記健康増進布状体を、該頭部装着体における頭部に対面する面に設けたことを特徴とする。
【００１５】
本発明に係る頭部装着体おいては、前記健康増進布状体の表面に、炭素材で構成した突起を設けてもよい。
【００１６】
上記目的を達成するために、本発明に係るシーツ又は下着は、前記健康増進布状体で構成されたものであることを特徴とする。
【発明の効果】
【００１７】
本発明に係る健康増進布状体、並びにこれを備えた頭部装着体、シーツ又は下着によれば、上述の構成となっているため、顕著な脱臭効果を有し、遠赤外線作用により健康の増進を図ることができる
【図面の簡単な説明】
【００１８】
【図１】（ａ）は、本発明の第１実施形態に係る健康増進布状体の斜視図、（ｂ）は、Ａ−Ａ線における当該健康増進布状体の断面図、（ｃ）は、球状微粒子活性炭の拡大断面図である。
【図２】（ａ）は、本発明の第２実施形態に係る健康増進布状体の斜視図、（ｂ）は、Ｂ−Ｂ線における当該健康増進布状体の断面図である。
【図３】（ａ）は、本発明の第３実施形態に係る健康増進布状体の斜視図、（ｂ）は、Ｃ−Ｃ線における当該健康増進布状体の断面図及び部分拡大断面図である。
【図４】（ａ）〜（ｃ）は、第３実施形態における球状微粒子活性炭のクッション材への保持方法を示す図である。
【図５】（ａ）は、本発明の第４実施形態に係る健康増進布状体の斜視図、（ｂ）は、当該健康増進布状体の部分拡大断面図である。
【図６】（ａ）は、本発明の第１実施形態に係る頭部装着体の斜視図、（ｂ）は、Ｄ−Ｄ線における当該頭部装着体が備える健康増進布状体の断面図である。
【図７】（ａ）は、本発明の第２実施形態に係る頭部装着体の斜視図、（ｂ）は、Ｅ−Ｅ線における当該頭部装着体が備える健康増進布状体の断面図、（ｃ）は、炭素成型体の斜視図である。
【図８】本実施形態における活性炭繊維シートの一例を示す説明図である。
【図９】本発明の第３実施形態に係る頭部装着体の説明図である。（ａ）は頭部装着体（ヘルメット）の斜視図、（ｂ）はヘルメットに内装する頭部装着体（インナーキャップ）の斜視図、（ｃ）はヘルメット用ヘッドパッドの斜視図である。
【図１０】（ａ）は、本発明に係るシーツの斜視図、（ｂ）は、本発明に係る下着の斜視図である。
【発明を実施するための形態】
【００１９】
以下に、本発明の実施の形態について図面を参照しながら説明する。以下に説明する健康増進布状体１０，１０Ａ，１０Ｂ，１０Ｃ，１０Ｄはいずれも外装体１００の内部に球状微粒子活性炭１２を収蔵させたものである。球状微粒子活性炭１２の収蔵させ方はそれぞれ異なるが、いずれも外装体１００の内部に種々の内装体が収容され、その内装体に球状微粒子活性炭１２が保持される構成とされている。
【００２０】
内装体としては、健康増進布状体１０、１０Ｄでは樹脂層１３、健康増進布状体１０Ａでは内袋１４、健康増進布状体１０Ｂではクッション材２０、健康増進布状体１０Ｃでは接着芯地２１が用いられている。以下、個別に説明する。
【００２１】
本発明の第１実施形態に係る健康増進布状体１０は、図１（ａ）及び（ｂ）に示すように、通気性のある外装体１００の内部に多数の超多孔質の球状微粒子活性炭１２を収蔵させた構成とされている。球状微粒子活性炭１２は、粒径が１５０μｍ〜６００μｍとされている。この健康増進布状体１０は、皮膚に接触又は近接した状態で使用されるものである。
【００２２】
当該健康増進布状体１０の外装体１００は、図１（ａ）及び（ｂ）に示すように、２枚の布シート１１，１１（一方側部材１１及び他方側部材１１）で構成されており、これら布シート１１，１１の間に多数の球状微粒子活性炭１２を挟み込んだ構成とされている。布シート１１としては、内部の球状微粒子活性炭１２が抜け出さないような肌理を有し、縫製可能なものが選択され、例えば、綿、絹などの天然繊維を原料としたものや、ナイロン、レーヨンなどの化学繊維を原料としたものを適用してもよい。
【００２３】
球状微粒子活性炭１２は、図１（ｃ）に示すように、略真球形状をしている。これにより、仮に布シート１１，１１から球状微粒子活性炭１２が漏れ出た場合であっても、その球状微粒子活性炭１２によって皮膚などが傷付けられるおそれはほとんどない。
【００２４】
球状微粒子活性炭１２の内部には、球体表面に開口する複数の孔部１２ａが形成されている。これら孔部１２ａは、球内部に向かって形成される複数のマクロ孔１２ｂを有しており、各マクロ孔１２ｂには、そのマクロ孔１２ｂを幹としてここから枝分かれするように複数のミクロ孔１２ｃが形成されている。ミクロ孔１２ｃの孔径寸法は、マクロ孔１２ｂよりも小さい。このような構成の孔部１２ａが複数設けられていることにより、球状微粒子活性炭１２は、超多孔質となっている。
【００２５】
球状微粒子活性炭１２は、炭素材であるので遠赤外線を放射する。球状微粒子活性炭１２としては、炭素純度が９０％以上のものを用いてもよく、望ましくは９９．９％以上のものを用いる。また、球径が１５０μｍ〜６００μｍのものを用いてもよく、望ましくは１８０μｍ〜５００μｍのものを用いる。また、細孔容積が０．９ｃｍ３／ｇ〜２．０ｃｍ３／ｇ、細孔ピーク直径が０．５ｎｍ〜２．０ｎｍのものを用いてもよい。ここで、細孔容積とは、球状微粒子活性炭１２内に形成された全てのマクロ孔１２ｂ及びミクロ孔１２ｃの孔内の容積の和であり、また、細孔ピーク直径とは、孔部１２ａにおける微粒子活性炭１２表面の開口径のうち最大のものを指す。
【００２６】
本実施形態では、球状微粒子活性炭１２は、炭化させたフェノール樹脂から構成されており、比表面積が２，５００ｍ２／ｇ以上とされている。ここで、比表面積とは、球状微粒子活性炭１２の球表面の面積、及び全ての孔部１２ａのマクロ孔１２ｂ及びミクロ孔１２ｃを構成する面の面積の合計である。
【００２７】
球状微粒子活性炭１２は、例えば以下のようにして製造すればよい。
まず、原料となるフェノール樹脂などを粉砕し、粉砕片を加工して複数の球体を得る。この球体を高温下（例えば７００〜８００℃程度）で炭化させた後、その処理物を高温下（例えば９００〜１０００℃程度）で水蒸気と反応させる（水蒸気賦活）。この水蒸気賦活により多孔質の構造が形成される。その後、精製し不純物を取り除き、ふるい分けを行い、所望の粒径、及び所望のマクロ孔１２ｂ及びミクロ孔１２ｃの孔径を有した多数の孔部１２ａが形成された球状微粒子活性炭１２が得られる。
【００２８】
なお、賦活としては、水蒸気賦活に限られず、二酸化炭素や空気などを用いて行なってもよい。また、ＫＯＨなどを用いたアルカリ賦活を行なってもよい。また、球状微粒子活性炭１２の原料としては、フェノール樹脂に限られず、ヤシ殻炭や石灰などとしてもよい。
【００２９】
球状微粒子活性炭１２としては、例えば、Ｂ’ｓ  Ｗｉｐｅｒ（登録商標）や、特許第４２６６７１１号公報および特許第４３０８７４０号公報に開示された製法で製造されたものを好適に使用することができる。
【００３０】
また、球状微粒子活性炭１２としては、強い圧力や衝撃が加えられても割れて粉々にならず、色素などが皮膚などに付着するおそれがないものを利用するようにしてもよい。さらにｐＨ値が７前後（中性）のものとすることが望ましい。このような球状微粒子活性炭１２を用いれば、健康増進布状体１０をより望ましく皮膚に接触又は近接した状態で安全に使用することができる。
【００３１】
本実施形態の健康増進布状体１０では、球状微粒子活性炭１２は、図１（ｂ）に示すように、外装体１００の内部において樹脂層１３を介して固着されている。
【００３２】
球状微粒子活性炭１２は、外装体１００の一方側部材１１の一方面に塗布された加熱硬化時にひび割れを生じる樹脂層１３内に浸された状態で、該一方面上に被せた他方側部材１１との間でサンドイッチ状に固着状態とされている。
【００３３】
樹脂層１３としては、アイオノマー樹脂溶液にて構成された樹脂性溶液層１３としてもよく、アイオノマー樹脂溶液に浸した状態の球状微粒子活性炭１２を、２枚の布シート１１，１１間に挟み込んで、健康増進布状体１０に固着させるようにしてもよい。具体的には、球状微粒子活性炭１２を浸した上記溶液を一方の布シート１１の一方の面に塗り、その上に他方の布シート１１を貼りつける。その後、４０度で硬化させて、球状微粒子活性炭１２を両布シート１１，１１間に挟んだ状態でこれら両布シート１１，１１間を固着して健康増進布状体１０を形成するようにしてもよい。なお、球状微粒子活性炭１２は、樹脂層１３の溶液に対して５．０〜１０．０重量％程度含有させてもよい。
【００３４】
このようにアイオノマー樹脂溶液を４０度で加熱硬化させれば、球状微粒子活性炭１２を内部に含んだ硬化物はひび割れ状態となるが、そのひび（裂け目）が気体の流通路となり、布シート１１の繊維間空隙を通じて、球状微粒子活性炭１２の表面が外気と接触することが可能となる。これにより、球状微粒子活性炭１２の脱臭等の効果が発揮される。
【００３５】
また、本実施形態では、図１（ｃ）に示すように、球状微粒子活性炭１２には、機能性物質１２ｄである抗菌剤、消臭剤、芳香剤のうち少なくとも一つが収蔵されている。
【００３６】
これら機能性物質１２ｄは、図１（ｃ）に示すように、球状微粒子活性炭１２の孔部１２ａ内に収蔵されている。図例では、機能性物質１２ｄが孔部１２ａのマクロ孔１２ｂ内に収蔵されている例を示しているが、ミクロ孔１２ｃ内に収蔵してもよい。球状微粒子活性炭１２は複数の孔部１２ａを有した超多孔質であるので、多数の機能性物質１２ｄを孔部１２ａ内に効率良く含ませることができる。
【００３７】
抗菌剤１２ｄとしては、無機系の抗菌剤１２ｄとしてもよく、抗菌作用を有する金属や金属イオンを無機系担体に担持させて構成したものを用いてもよい。このような無機系の抗菌剤１２ｄとしては、例えば、粉体である銀系の無機抗菌剤（例えば、ノバロン（登録商標））を用いてもよい。無機系の抗菌剤１２ｄは、溶液に溶解又は分散させて、球状微粒子活性炭１２の孔部１２ａ内に含侵させるようにしてもよい。これにより、球状微粒子活性炭１２を含む健康増進布状体１０を、雑菌が繁殖し難いなどの抗菌効果を有するものにすることができ、健康増進布状体１０の劣化を防ぐことができる。
【００３８】
皮膚の汗や皮脂などが健康増進布状体１０内に吸い取られると、健康増進布状体１０に接触する皮膚表面に存在する雑菌によってこれらが分解され、いわゆる分解臭である悪臭が生じる。上記のような抗菌剤１２ｄを、球状微粒子活性炭１２内に含ませれば、雑菌がこれにより死ぬので、雑菌による汗や皮脂などの分解が抑えられ、悪臭の発生が抑制される。
【００３９】
消臭剤１２ｄとしては、臭い成分を活性酸素で酸化して別の物質に変化させて該臭い成分を分解する作用を有するものを用いてもよい。このような消臭剤１２ｄとして、ＤＥＯＲＡＳＥ（登録商標）がある。このＤＥＯＲＡＳＥ（登録商標）は、アルカリ条件での中心金属の脱離による消臭効果の低下が見られず、生体内の酵素に似たサイクル反応をもたらすため、他の化学反応を用いた消臭剤と比べて、格段に消臭効果が持続する。また、一般的に、上記サイクル反応の反応性は、吸湿による水分により低下することが知られているが、ＤＥＯＲＡＳＥ（登録商標）では、逆に吸湿により反応性が向上することがわかっている。
【００４０】
なお、消臭剤１２ｄとしては、これ以外に、例えば、人工酵素である鉄系フタロシアニンなどを用いたものを採用してもよい。
【００４１】
上述のように、健康増進布状体１０内に吸い取られた皮膚の汗や皮脂などは、接触する皮膚に存在する雑菌によって分解されることにより、いわゆる分解臭である悪臭が生じる。上記のような消臭剤１２ｄを健康増進布状体１０内に含ませることによって、汗や皮脂などがこれにより分解されるので、雑菌が分解する対象物がなくなり、悪臭の発生が抑制される。
【００４２】
芳香剤１２ｄとしては、柑橘系などの種々の臭い成分を含む物質としてもよく、アロマオイルなどを用いてもよい。また、天然素材からなるものや人工的に合成したものとしてもよい。
【００４３】
上記のような抗菌剤、消臭剤、芳香剤といった機能性物質１２ｄを球状微粒子活性炭１２内に含ませる場合、球状微粒子活性炭１２を浸したアイオノマー樹脂溶液などの樹脂溶液層１３中に機能性物質１２ｄを溶解または分散させて、球状微粒子活性炭１２に吸着させるようにすればよい。球状微粒子活性炭１２は超多孔質であるため、この方法により球状微粒子活性炭１２の孔部１２ａ内にこれら機能性物質１２を簡易に含ませることができる。なお、これら機能性物質は、健康増進布状体１０のその他の部位、たとえば布シート１１内に含ませるようにしてもよい。なお、後述する第２、第３、第４実施形態についても機能性物質１２ｄを含んだ球状微粒子活性炭１２を用いることができる。
【００４４】
次に、炭素材である球状微粒子活性炭１２が有する遠赤外線作用について説明する。
【００４５】
人体は、身体組成の６０％は水分、２５％以上は炭素で構成されており、３６．５℃の平均体温で常に１０ミクロンの遠赤外線を放射しているので、球状微粒子活性炭１２を含む健康増進布状体１０が身体に近接又は接すると、身体が、球状微粒子活性炭１２が放射する遠赤外線を吸収して加温される。すなわち、炭素材と頭部との間で同じ波長の遠赤外線を放射しあうことにより、炭素材は約３６．５℃の温度を維持する一方で、身体の中では水分子が激しく衝突して、この振動が運動エネルギーとなって、熱に変換され身体が加温される。
【００４６】
その結果、遠赤外線が皮下組織や血管などに作用して血流が改善されるが、本発明者によれば、末梢、中枢の血流に１５％の上昇効果があることが確認されている。また、炭素材は、α波を発生して、身体を癒し健康増進に寄与することが分かっている。
【００４７】
本実施形態に係る健康増進布状体１０は、通気性のある外装体１００の内部に、粒径が１５０μｍ〜６００μｍの多数の超多孔質の球状微粒子活性炭１２を収蔵させている。
【００４８】
従って、当該健康増進布状体１０によれば、顕著な脱臭効果を有し、遠赤外線作用により健康の増進を図ることができる。
【００４９】
つまり、通気性のある外装体１００の内部に球状微粒子活性炭１２が収蔵されているため、外部の空気が外装体１００内に入り球状微粒子活性炭１２に到達するようになっている。また、球状微粒子活性炭１２は、マクロ孔１２ｂ及びミクロ孔１２ｃからなる複数の孔部１２ａを有した超多孔質である。これにより、外装体１００の内に入った臭い分子や、皮膚の汗や皮脂などが孔部１２ａ内に吸着され易く、顕著な汗や皮脂の吸い取り効果、体臭の脱臭効果が奏せられる。
【００５０】
従って、汗や皮脂などは球状微粒子活性炭１２に吸い取られるため、健康増進布状体１０を構成する布シート１１，１１に付着しそこに残存する汚れ成分が少なくなるので、結果として健康増進布状体１０の洗浄に必要な洗剤量を少なくすることができる。
【００５１】
また、当該健康増進布状体１０に含まれる球状微粒子活性炭１２は炭素材であり遠赤外線を放射するので、その遠赤外線の作用により人体の血流が促進され、健康増進効果を奏する。
【００５２】
また、球状微粒子活性炭１２は、複数の孔部１２ａを有する超多孔質であるので、孔部１２ａ内に、抗菌剤、消臭剤、芳香剤などの種々の機能性物質１２ｄなどを収蔵することができる。
【００５３】
また、本実施形態では、球状微粒子活性炭１２は炭化したフェノール樹脂から構成されている。従って、フェノール樹脂以外を原料としたものと比べて、より顕著な遠赤外線の放射作用を有するとともに、上記した構造のマクロ孔１２ｂ及びミクロ孔１２ｃからなる孔部１２ａが多数球状微粒子活性炭１２内により形成され易くなっている。
【００５４】
また、球状微粒子活性炭１２の比表面積を２，５００ｍ２／ｇ以上（最大３，３００ｍ２／ｇ）としている。これは、畳約２２００枚部以上に相当する非常に大きな面積であり、皮膚の汗や皮脂、臭い分子などが球状微粒子活性炭１２の孔部１２ａ内に吸着し易くなり、より一層顕著な汗や皮脂の吸い取り効果、体臭の脱臭効果が奏せられる。なお、球状微粒子活性炭１２としては上記の比表面積のものに限らず、比表面積を１，２００〜２，５００ｍ２／ｇとしたものを用いることもできる。
【００５５】
また、本実施形態においては、球状微粒子活性炭１２の孔部１２ａ内に、抗菌剤、消臭剤、芳香剤の機能性物質１２ｄのうち少なくとも一つを収蔵するようにしている。従って、上記した脱臭効果などに加えて、収蔵する機能性物質１２ｄに応じた種々の機能を球状微粒子活性炭１２に付与することができる。
【００５６】
さらに、本実施形態では、球状微粒子活性炭１２を、加熱硬化時にひび割れを生じる樹脂層１３内に浸して健康増進布状体１０に固着させている。従って、球状微粒子活性炭１２を、健康増進布状体１０の両布シート１１，１１間に強固に固着させることができる。また、樹脂層１３はひび割れを生じた状態となっているので、健康増進布状体１０の外部の空気が樹脂層１３のひび割れ箇所から内部に入り込み、内部の球状微粒子活性炭１２に到達し易くなるので、脱臭効果を高めることができる。
【００５７】
次に、本発明の第２実施形態に係る健康増進布状体について説明する。
【００５８】
本実施形態に係る健康増進布状体１０Ａは、図２（ａ）及び（ｂ）に示すように、その外装体１００は内部に内袋１４を備えており、そこに球状微粒子活性炭１２を収容させている。
【００５９】
内袋１４としては、内部に多数の球状微粒子活性炭１２が収容されるスペースを有した袋状体であればよい。また、内部の球状微粒子活性炭１２が漏れ出さないような肌理を有したものであればよく、例えば、綿、絹などの天然繊維を原料としたものや、ナイロン、レーヨンなどの化学繊維を原料とした布状のものからなるものとしてもよい。
【００６０】
内袋１４内部に球状微粒子活性炭１２を収容した後、内袋１４の縁部を接着剤などによって固着したり、糸などで縫合したりして、球状微粒子活性炭１２が外部へ漏れ出ないようにしてもよい。また、内袋１４自体を健康増進布状体１０Ａに固着させたり、縫い付けたりしてもよい。また、内袋１４としては、既製品としての健康増進布状体１０Ａに予め設けられている袋状体を用いてもよいし、新規に形成してもよい。また、球状微粒子活性炭１２を、上記したような樹脂層１３を用いて内袋１４内に固着させてもよい。
【００６１】
本実施形態では、上記のように、球状微粒子活性炭１２を健康増進布状体１０Ａ内に設けた内袋１４内に収容している。
【００６２】
従って、球状微粒子活性炭１２を、樹脂層１３を用いて固着させるような場合と比べて、簡易に安価に球状微粒子活性炭１２を健康増進布状体１０Ａに固着させることができる。また、樹脂層１３を用いた場合では、健康増進布状体１０Ａを洗濯することにより樹脂層１３が剥がれるおそれがあるが、内袋１４内に球状微粒子活性炭１２を収容すればその心配はなくなる。
【００６３】
また、内袋１４を用いる構成であるため、多数の球状微粒子活性炭１２を外装体１００の特定の位置に配置することができ。例えば、脱臭などに使用したい部位に球状微粒子活性炭１２を重点的に配置することができる。内袋１４を特定の位置に配置するために、内袋１４の外周を外装体１００の表裏面より縫い付けるようにしてもよい。
【００６４】
また、内袋１４が、既製品としての健康増進布状体１０Ａに予め設けられている場合には、その中に球状微粒子活性炭１２を収容させることができるので、新規に内袋１４を形成したりする手間がなくなる。
【００６５】
次に本発明の第３実施形態に係る健康増進布状体について説明する。
【００６６】
本実施形態に係る健康増進布状体１０Ｂは、図３（ａ）〜（ｃ）に示すように、その外装体１００の内部に、多数の細孔２０ａを有したポリウレタン発泡体などよりなるクッション材２０を有している。このクッション材２０の細孔２０ａに球状微粒子活性炭１２が保持されている。
【００６７】
クッション材２０が発泡体の場合、細孔２０ａは発泡体のセル構造の連続気泡によりなり、図３（ｃ）の拡大図に示すように、その連続気泡に球状微粒子活性炭１２を保持させるようにすればよい。なお、連続気泡は厚み方向に通気性を有しており、このような連続気泡を有したクッション材２０を用いることが望ましい。
【００６８】
本実施形態における球状微粒子活性炭１２は、粒径が１５０μｍ〜６００μｍのものを用いてもよく、望ましくは４５０μｍ〜５５０μｍのものを用いられる。球状微粒子活性炭１２の粒径がたとえば２００μｍ以下の場合、クッション材２０の細孔２０ａの孔径が２００μｍよりもはるかに大きく形成されていると球状微粒子活性炭１２はクッション材２０の表面付近にとどまらず、奥方（クッション材２０の厚み中心部）にまで入り込むおそれがあるばかりでなく、細孔２０ａに保持されずにクッション材２０を通り抜けて脱落するおそれがある。球状微粒子活性炭１２は、健康増進布状体１０Ｂの使用時に人体の皮膚に近傍するほうが好ましいので、図３に示すようにクッション材２０の表面付近に球状微粒子活性炭１２が保持されるように、球状微粒子活性炭１２の粒径が選択される。
【００６９】
具体的な球状微粒子活性炭１２の保持方法を、図４を参照して説明する。
シート状に形成したクッション材２０の一方面を上方に向け（図４（ａ））、その上に球状微粒子活性炭１２を載せ（図４（ｂ））、ヘラ等の器具５で球状微粒子活性炭１２をクッション材２０の一方面の全面に均一にならせばよい（図４（ｃ））。クッション材の他方面にも球状微粒子活性炭１２を載せる場合には、クッション材２０を裏返しにし、球状微粒子活性炭１２を他方面に塗布して全面に均一にならせばよい。
【００７０】
このように、球状微粒子活性炭１２はクッション材２０の個々の細孔２０ａに嵌ることでクッション材２０に均一に保持され、クッション材２０から容易に脱落しない。また、球状微粒子活性炭１２がクッション材２０に保持された状態においても、縫製等の二次加工が容易である。
【００７１】
クッション材２０としては、健康増進布状体１０Ｂの用途に応じて種々のものが用いられればよく、よりクッション性のある物に利用する場合には上記のようなスポンジが用いられることが望ましい。クッション材２０として羽毛、綿毛、不織布などを用いてもよい。また、用途に応じて、種々の厚みのクッション材２０を用いればよい。
【００７２】
また、図例のように、２枚の布シート１１，１１をキルティング状に縫い合わせ、クッション材２０およびクッション材２０に保持された球状微粒子活性炭１２が外装体１００の内部で移動しないようにすることが望ましい。また、キルティング加工により外装体１００の表面に模様を施してもよい。
【００７３】
本実施形態では上記のようにクッション材２０により球状微粒子活性炭１２を保持させているため、簡易にかつ安価に健康増進布状体１０Ｂを形成することができる。スポンジなどはその全体にほぼ均一に細孔２０ａが配されているため、球状微粒子活性炭１２を均一に分散配置でき、クッション材２０を外装体１００内に隙間なく内装することで、健康増進布状体１０Ｂのどの部位においても脱臭効果を上げることができる。
【００７４】
次に本発明の第４実施形態に係る健康増進布状体について説明する。
【００７５】
本実施形態に係る健康増進布状体１０Ｃは、図５に示すように、その外装体１００に接着芯地２１が内装されて構成されている。この接着芯地２１の接着面に球状微粒子活性炭１２が保持される構成とされている。
【００７６】
接着芯地２１は、複数の孔（不図示）が形成され通気性が保持されたシート体である。接着芯地２１とは、主に布体同士を貼り合わせるのに用いられ、片面または両面に接着剤が塗布された接着面を有しており、接着面を保護する剥離紙をはがして接着するシール性のものや、アイロン等で加温しながらプレスすることで熱可塑性の接着剤により接着される熱接着性のものがある。本実施形態においては両面に熱接着性の接着面を有しかつ複数の孔が形成された蜘蛛の巣状の接着芯地２１が用いられている。この複数の孔内には、接着剤により球状微粒子活性炭１２が保持（接着）されている。
【００７７】
なお、接着芯地２１は蜘蛛の巣状のものに限定されることはなく、等間隔に接着剤が配されているドット状のものであってもよく、通気性を有し球状微粒子活性炭１２を保持（接着）される孔を有するものであれば他の形状であってもよい。本実施形態では、接着芯地２１の厚みは１００μｍ程度のものを用いているが、これに限定されることはない。
【００７８】
また、図例のように、２枚の布シート１１，１１をキルティング状に縫い合わせ、接着芯地２１および接着芯地２１に保持された球状微粒子活性炭１２が外装体１００の内部で移動しないようにすることが望ましい。さらに健康増進布状体１０Ｃの周囲にテープ体１０１を配して縫製することにより接着芯地２１や、接着芯地２１に保持されている球状微粒子活性炭１２が外部に漏れ出ないように封止されている。なお、前述の健康増進布状体１０、１０Ａ、１０Ｂについてもテープ体１０１を配するようにしてもよい。
【００７９】
本実施形態では上記のように接着芯地２１により球状微粒子活性炭１２を保持させているため、簡易にかつ安価に健康増進布状体１０Ｃを形成することができる。接着芯地２１は薄いため薄めの健康増進布状体１０Ｃを形成でき、寝具用のシーツなどに利用することができる。また、球状微粒子活性炭１２は接着芯地２１の接着面に保持された後は移動しにくく、接着面に均一に配されるようにすれば、全体として均一な脱臭効果を上げることができる。
【００８０】
次に、本発明の第１実施形態に係る頭部装着体について説明する。
【００８１】
本実施形態に係る頭部装着体１は、図６（ａ）に示すように、人の頭部に被せられる本体部１ａを有し、該本体部１ａには、その内側面（頭部に対面する側の面）に、前記した健康増進布状体１０が設けられている。
【００８２】
本実施形態では、頭部装着体１として帽子１を例示している。また、健康増進布状体１０を、本体部１ａの内側面における縁近傍部位に周方向の全体に亘って環状に設けた例を示している。
【００８３】
また、本実施形態では、健康増進布状体１０を、帽子１に着脱自在に取り付けられるものとしている。これにより、健康増進布状体１０を、新しいものに取り替えることができるので、消耗品として取り扱うことができる。
【００８４】
本実施形態に係る健康増進布状体１０は、図６（ｂ）に示すように、前述した図１（ｂ）に示す健康増進布状体１０と同一の構成であり、球状微粒子活性炭１２が健康増進布状体１０に対して樹脂層１３によって固着されている。なお、健康増進布状体としては、図１の健康増進布状体１０に代えて、前述した図２の健康増進布状体１０Ａ、図３の健康増進布状体１０Ｂあるいは図５の健康増進布状体１０Ｃを用いてもよい。
【００８５】
本実施形態に係る頭部装着体１は、健康増進布状体１０を、該頭部装着体１における頭部に対面する面に備えている。従って、球状微粒子活性炭１２による遠赤外線効果や、頭部の汗や皮脂などの吸収効果、体臭などの脱臭効果がもたらされる。
【００８６】
次に、第２実施形態に係る頭部装着体について説明する。
【００８７】
本実施形態に係る頭部装着体１Ａが備える健康増進布状体１０Ｄは、図７（ａ）及び（ｂ）に示すように、炭素を含む柔軟な炭素シート１６と、頭部に接触するように配され、炭素シート１６の頭部側の面に固着される活性炭繊維シート１７と、により層構造を形成している。
【００８８】
さらに、炭素シート１６の反頭部側の面に、２枚の布シート１１，１１の間に球状微粒子活性炭１２を挟み込んでなる外装体１００が固着されており、さらに、この外装体１００の反頭部側の面に補強シート１５が固着されている。つまり、この健康増進布状体１０Ｄは、頭部装着体１Ａが頭部に装着された状態において、頭部に接する側から順に、活性炭繊維シート１７、炭素シート１６、外装体１００、補強シート１５が配された多層構造となっている。
【００８９】
また、これら各層をそれぞれ単一層にて構成しており、健康増進布状体１０Ｄは、全体で４層構造となっている。なお、各層のそれぞれを複数層としてもよい。また、上記各層の互いの固着は、接着剤などを用いて行なってもよい。
【００９０】
図例では、外装体１００として、図１（ｂ）及び図６（ｂ）と同様の構成とされたものを示している。つまり、球状微粒子活性炭１２が布シート１１，１１に対して樹脂層１３によって固着されている。なお、前述した図２のように、内袋１４内に球状微粒子活性炭１２を収容させるようにしてもよい。また、前述した図３や図５のように、クッション材２０や接着芯地２１に球状微粒子活性炭１２を保持させるようにしてもよい。
【００９１】
炭素シート１６は、炭素を含むシート体であり、破損し難い軟質な材料からなる。本実施形態では、炭素シート１６を可撓性黒鉛シートとしている。可撓性黒鉛シートとしては、黒鉛を膨張させて膨張黒鉛の形態にしてから加圧してシート状に形成したものを用いてもよい。可撓性黒鉛シートの厚さ寸法は、０．０５ｍｍ〜３．００ｍｍとしてもよい。望ましくは、厚さ寸法が０．１３ｍｍのものを用いる。
【００９２】
炭素シート１６は、遠赤外線を放射するので、頭部への遠赤外線作用により健康増進効果がもたらされる。また、多孔質で調湿性を有しているので、頭部が発する汗や皮脂の吸い取り効果や、体臭などの脱臭効果を有する。
【００９３】
また、可撓性黒鉛シートを用いる場合、膨張黒鉛の比重は１．３と比較的低値であるので、健康増進布状体１０Ｄの軽量化がなされる。さらに、膨張黒鉛の熱伝導率は３００Ｗ／（ｍ・ｋ）と比較的高値であるので、優れた放熱効果を有し、頭部の熱を吸収してこれを放熱する作用により、頭部を冷やす効果がある。
【００９４】
なお、炭素シート１６としては、上記のものに限定されず、例えば、アクリル繊維やピッチなどを高温で炭化して製造した炭素繊維をシート状に形成した炭素織物材を用いてもよい。また、炭素シート１６としては、炭素材料の構成比率が９５％以上であるものが望ましいが、これに限定されることはない。
【００９５】
補強シート１５は、破損し難い軟質な材料からなるシート体であり、例えば、紙や、天然クロスなどに使用される布製織物材などとしてもよい。補強シート１５は、健康増進布状体１０Ｄの破損を抑制するのみならず、炭素シート１６の色素が帽子１に付着するのを防止する。補強シート１５の厚さ寸法は、例えば、０．５ｍｍ〜２．０ｍｍ程度としてもよい。
【００９６】
活性炭繊維シート１７は、破損し難い軟質な材料からなるシート体であり、活性炭繊維を有してなる布製織物材によって構成される。
本実施形態では、図８に示すように、活性炭繊維シート１７を、複数の帯状の活性炭繊維材１７ａ，１７ａを縫い糸１７ｂ，１７ｂで縫製して構成している。
【００９７】
このような活性炭繊維シート１７の製造は、以下に示す方法で行なってもよい。すなわち、まず、活性炭繊維にフェノール樹脂を加えて繊維化した後、炭化させて、複数の活性炭繊維の帯状体１７ａ，１７ａ（所謂縦糸）を形成する。次いで、これら複数の縦糸１７ａ，１７ａを並列させて、これらに、絹などの縫い糸１７ｂ，１７ｂ（所謂横糸）を織り込んで、種々の柄や模様を作り出すようにして、活性炭繊維シート１７を製造するようにしてもよい。例えば、縦糸１７ａ，１７ａを３０ｃｍ〜６０ｃｍの長さに形成し、これら縦糸１７ａ，１７ａに１ｍ〜２０ｍの長さの横糸１７ｂ，１７ｂを織り込んで活性炭繊維シート１７を形成するようにしてもよい。
【００９８】
また、活性炭繊維シート１７は頭部に直接接触する層であるので、安全性を確保すべくｐＨ値が７（中性）あるいはそれ以下になるように当該シートを構成するのが望ましい。なお、上記のような活性炭繊維シート１７の製造には、所謂西陣織の技法を用いることができる。
【００９９】
このように活性炭繊維シート１７を、複数の帯状の活性炭繊維材１７ａ，１７ａを縫い糸１３ｂ，１３ｂで縫製して構成するようにすれば、活性炭繊維シート１７の表面に種々の柄や模様などのデザインを施すことができる。活性炭繊維シート１７は、頭部装着体１Ａに健康増進布状体１０Ｄが取り付けられた状態において外部に露出する部位であるので、表面に施されたデザインが露見し、頭部装着体１Ａのファッション性を高めることができる。また、活性炭繊維シート１７の製造を西陣織の技法を用いて行なうようにすれば、西陣織の柄や模様を露見させることができるので、頭部装着体１Ａのファッション性をより一層高めることができる。
【０１００】
活性炭繊維シート１７に用いられる活性炭繊維は、遠赤外線を放射するので、炭素シート１６の遠赤外線作用との相乗効果により、頭部に対してより強力な遠赤外線効果がもたらされる。
また、活性炭繊維は、多孔質であり、分子の吸い取り機能、及び脱臭機能を有するので、頭部の汗や皮脂の吸い取り効果や、体臭などの脱臭効果を有する。
【０１０１】
さらに、活性炭繊維は、粒状体の集合体であるので、皮膚に刺さるおそれがなく、皮膚への悪影響がない。また、活性炭繊維は、耐摩耗性に優れており、人体との親和性を有するので、頭部に直接接触する活性炭繊維シート１７に用いるのに適している。また、活性炭繊維の比重は１．２７と比較的低値であるので、活性炭繊維シート１７に用いることで、健康増進布状体１０Ｄの軽量化が図られる。また、炭素シート１６の頭部側の面に活性炭繊維シート１７を設けているので、炭素シート１６の色素が頭部に付着する色移りが防止される。
【０１０２】
なお、活性炭繊維シート１７に用いる活性炭繊維を有する布製織物材としては、炭素材料の構成比率が９５％以上であるものを用いるのが望ましいが、これに限定されることはない。
【０１０３】
本実施形態に係る頭部装着体１Ａが備える健康増進布状体１０Ｄは、頭部に直接接触するように配される活性炭繊維シート１７を有しているので、汗の吸い取り効果や、顕著な体臭などの脱臭効果を有する。
【０１０４】
また、炭素シート１６及び活性炭繊維シート１７は、いずれも遠赤外線を放射するので、多くの量の遠赤外線を放射することができ、健康増進布状体１０Ｄが頭部に装着されることで、頭部の血流促進がより増進され、より大きな健康増進効果を得ることができる。
【０１０５】
また、健康増進布状体１０Ｄは、２枚の布シート１１，１１の間に超多孔質の球状微粒子活性炭１２を挟み込んでなる外装体１００を含んでいるので、前述のような顕著な脱臭効果や遠赤外線効果を奏する。
【０１０６】
また、本実施形態では、図７（ａ）及び（ｂ）に示すように、健康増進布状体１０Ｄの表面に、炭素材で構成した突起１８を設けている。この突起１８は、健康増進布状体１０Ｄの内部に、炭素成型品１８を、その一部である先端側を外方側（頭部側）に向けて突出させた状態で埋設することにより構成されている。
【０１０７】
炭素成型品１８は、図７（ｃ）に示すように、基部から先端にかけて先細り状である円錐形の突起部１８ａと、この突起部１８ａの底部外周に設けられたつば部１８ｂと、を有した粒状体とされている。この炭素成型品１８の寸法は、直径８〜９ｍｍ、高さ３〜５ｍｍ程度としてもよい。
【０１０８】
本実施形態では、活性炭繊維シート１７の厚さ方向に孔を開け、この孔から突起部１８ａの先端側を外方側に突出させ、つば部１８ｂを活性炭繊維シート１７と炭素シート１６との間に介在させるように、炭素成型品１８を活性炭繊維シート１７内部に埋設させている。炭素成型品１８は、前記孔よりも径寸法が大きいつば部１８ｂの存在により健康増進布状体１０Ｄから脱落し難くなっている。炭素成型品１８は、接着剤などにより活性炭繊維シート１７内に固着させてもよい。
【０１０９】
上記のように構成された頭部装着体１Ａの健康増進布状体１０Ｄは、炭素成型品１８が遠赤外線の放射作用を有するのに加えて、突起部１８ａの先細り状の先端側が頭部を押圧してツボ刺激作用を有するので、より大きな血流促進効果を有する。そのため、この頭部装着体１Ａは、炭素シート１６や活性炭繊維シート１７、炭素成型品１８、球状微粒子活性炭１２を含む外装体１００が組み合わされることにより、強大な健康増進効果を有する。また、炭素成型品１８の突起部１８ａの存在により、頭部装着体１Ａと頭部との接触面積が小さくなり、健康増進布状体１０Ｄと頭部との間の通気性がよくなるので、これらの間隙内の蒸れによる不快感を軽減することができる。
【０１１０】
なお、炭素成型品１８の形状は図例のものに限定されることはなく、たとえば、突起部１８ａを角錐形や円柱形、半球形状としてもよく、また、つば部１８ｂを矩形状としてもよい。また、炭素成型品１８の寸法や、配する個数は、使用する頭部装着体１Ａの種類や寸法などによって、適宜設定するようにしてもよい。
【０１１１】
炭素成型品１８を構成する炭素材料としては、等方性高密度炭素材を用いるようにしてもよい。等方性高密度炭素材は、次のように生成される。まず、黒鉛、竹炭などの炭化物の粒子状の炭素材料にフェノール系接着剤、ピッチ又はタールなどのバインダを５重量％程度加えて、弾性を有する型（たとえば、ゴム製の型）に充填する。そして、その型をシールし、圧力容器内に水没させて圧力媒体である水で加圧する。こうすれば、炭素材料は全方向より等圧的に加圧されるので、ランダムに配向し等方性（異方比１．０〜１．１）の塊が生成される。その後、型から取り出した炭素材料の塊を、酸素を欠乏させた状態で加熱し、最終的には２０００〜３０００℃程度で焼成する。焼成の途中、フェノール成分、ピッチ又がタールは昇温途中の約１２００℃程度で揮発するので、炭素材料は結晶化（黒鉛化）し、高密度で整った結晶構造となる。その後、加熱を止め、炭素材料の温度が下がった後、炭素成型品１８の形状に加工する。
【０１１２】
このように形成した炭素成型品１８は、そのまま健康増進布状体１０Ｄ内に配してもよいが、炭素成型品１８に傷や破損を防ぐための皮膜層を形成してもよい。皮膜層の材料は特に限定されないが、炭素を用いる場合は、炭素成型品１８の表面にＤＬＣ（ダイヤモンド・ライク・カーボン）処理による皮膜層を形成するのが望ましい。また、皮膜層に炭素材料を用いないのであれば、樹脂材料であるウレタンなどを用いて皮膜層を形成するのが望ましい。なお、炭素成型品１８に用いる炭素材料としては、等方性高密度炭素材に限らず、種々の構成のものを用いてもよい。
【０１１３】
次に、本発明の第３実施形態に係る頭部装着体について説明する。
【０１１４】
図９（ａ）に示したヘルメット２は、工事現場や物流倉庫等の作業現場において作業者の頭部を保護するために用いられる。ヘルメット２は作業者の私物ではなく会社等の備品であることが多く、一つのヘルメット２を多数の作業者が使いまわすことになるため、作業者の頭部に直に接触して使用されると、不特定多数の作業者の汗や皮脂等が付着し不衛生である。そのため、作業者の頭部とヘルメット２との間にインナーキャップ（頭部装着体）１Ｃを装着したり、ヘルメット２の使用後に消毒用アルコールで消毒することがある。しかしながら、インナーキャップ１Ｃは使い捨ての薄手の紙製のものが多く、十分な吸湿性、消臭性を有しているとはいえない。そのため、作業中にヘルメット内部が蒸れて作業者が不快に感じたり、ヘルメット２に悪臭が発生するおそれがある。また、薄手の紙製であるので、汗や皮脂等がインナーキャップ１Ｃを通過してヘルメット２内部に付着してしまい、結局消毒用アルコールで消毒することになり手間がかかってしまう。
【０１１５】
図９（ｂ）は、第４実施形態に係る健康増進布状体１０Ｃを用いて製造されたインナーキャップ１Ｂの斜視図である。このインナーキャップ１Ｂは、頭部全体を覆うように立体的に縫製されている。インナーキャップ１Ｂの少なくとも頭部側の布体１１Ａは、通気性及び吸汗性を有するものが望ましい。これにより、頭部から発せられる汗が布体１１Ａを通過し、球状微粒子活性炭１２に吸湿され、また、同時に頭部から発せられる臭い成分も球状微粒子活性炭１２に吸収される。さらに、ヘルメット側の布体１１Ｂは防水性素材であるものが好ましい。これにより、着用者が多量の汗をかいても、汗や皮脂などがインナーキャップ１Ｃを通過してヘルメット２に付着するのを防止することができる。そして、インナーキャップ１Ｂに用いられている健康増進布状体１０Ｃは、発泡樹脂体のクッション材２０によりクッション性を有しているので、ヘルメット２に加わった衝撃を和らげることが可能である。
【０１１６】
また、図９（ｃ）は、第４実施形態に係る健康増進布状体１０Ｃを用いて製造されたヘッドパッド（頭部装着体）１Ｃの斜視図である。このヘッドパッド１Ｃは作業者の額部分に接触するように、ヘルメット２の額に当たるベルト部２ａ（図９（ａ）参照）に着脱自在に装着される。ヘッドパッド１Ｃの少なくとも頭部側の布体１１Ａは、インナーキャップ１Ｂと同様に通気性及び吸汗性を有するものが望ましい。
【０１１７】
なお、本実施形態では作業用のヘルメット２のインナーキャップ１Ｂへの適用例について説明したが、自動二輪車や自転車の運転時に着用するヘルメットのインナーキャップ１Ｂとして使用してもよく、また、剣道の防具（面）やアメフトのヘルメット等のスポーツ用ヘルメットのインナーキャップ１Ｂとして使用してもよく、適用例は限定されない。特に激しい運動を伴うスポーツは発汗量が多く、ヘルメット２の内部が蒸れたり悪臭がついたりすることが多いので、本実施形態のような高い吸汗性や消臭性を有するインナーキャップ１Ｂを使用することで、ヘルメット２内部の蒸れや悪臭の付着を防止することができる。
【０１１８】
また、健康増進布状体１０Ｃの布体１１Ａ，１１Ｂの両方若しくは片方を破損し難い軟質な炭素材で形成してもよく、例えば可撓性黒鉛シートで構成してもよい。可撓性黒鉛シートとしては、黒鉛を膨張させて膨張黒鉛の形態にしてから加圧してシート状に形成したものを用いてもよい。可撓性黒鉛シートの厚さ寸法は、０．０５ｍｍ〜３．００ｍｍとしてもよい。望ましくは、厚さ寸法が０．１３ｍｍのものを用いる。可撓性黒鉛シートは、遠赤外線を放射するので、頭部への遠赤外線効果により健康増進効果がもたらされる。また、多孔質で調湿性を有しているので、頭部が発する汗や皮脂を吸い取り効果や、体臭などの消臭効果がある。
【０１１９】
また、可撓性黒鉛シートをインナーキャップ１Ｂに用いる場合、膨張黒鉛の比重は１．３と比較的低値であるので、健康増進布状体１０Ｃの軽量化がなされる。さらに、膨張黒鉛の熱伝導率は３００Ｗ／（ｍ・ｋ）と比較的高値であるので、優れた放熱効果を有し、頭部の熱を吸収して放熱する作用により、頭部を冷やす効果がある。これによりインナーキャップ１Ｂは、遠赤外線効果により優れた健康増進効果を有しつつ、汗や皮脂などを吸い取る吸湿性、体臭などの消臭性、放熱効果による着用者の頭部を冷やす冷却性など、着用者に不快感を与えにくい様々な効果を有するものとなる。
【０１２０】
なお、炭素材からなる布体１１Ａ，１１Ｂとしては、上記のものに限定されず、例えば、アクリル繊維やピッチなどを高温で炭化して製造した炭素繊維をシート状に形成した炭素織物材を用いてもよい。また、炭素材からなる布体１１Ａ，１１Ｂとしては、炭素材料の構成比率が９５％以上であるものが望ましいが、これに限定されることはない。
【０１２１】
以上には、第１実施形態の健康増進布状体１０を頭部装着体１（図６参照）に適用した例、第４実施形態の健康増進布状体１０Ｃを頭部装着体（インナーキャップ１Ｂ、ヘッドパッド１Ｃ）（図９参照）に適用した例を説明したが、第２、第３実施形態の健康増進布状体１０Ａ、Ｂをそれらの頭部装着体に適用してもよい。
【０１２２】
次に、本発明に係るシーツ又は下着について、図１０にもとづいて説明する。
【０１２３】
本発明に係るシーツ３、下着４は、それぞれ図１０（ａ）及び（ｂ）に示すように、前記した健康増進布状体１０で構成されている。シーツ３、下着４は、その一部のみ、またはその全体を健康増進布状体１０で構成してもよい。
【０１２４】
図１０（ａ）では、シーツ３の一部のみ、つまりシーツ３上で人が寝る際に人が長時間接する部位のみを健康増進布状体１０で構成した例を示しており、図１０（ｂ）では、下着（肌着）の一部（両脇部位）のみを健康増進布状体１０で構成した例を示している。
【０１２５】
シーツ３としては、綿や絹、麻などの生地からなるものを用いてもよく、下着４としては、肌着に限られず、靴下や足袋、サポーター、ブラジャー、腹巻、Ｔシャツ、ストッキング、パンツなどとしてもよい。
【０１２６】
球状微粒子活性炭１２は、前記したような樹脂層１３（図１参照）を用いたり、内袋１４（図２参照）内に収容したりして健康増進布状体１０内に含ませてもよい。下着４として靴下や足袋、ストッキングなどを用いる場合、内袋としては、これらのつま先やかかと部位に予め設けられている袋状体を用いてもよい。
【０１２７】
本実施形態に係るシーツ３又は下着４は、球状微粒子活性炭１２を含む健康増進布状体１０で構成されているので、前述のような顕著な脱臭効果や遠赤外線効果を奏する。
【０１２８】
なお、シーツ３や下着４の一部のみを健康増進布状体１０で構成する場合、健康増進布状体１０を、シーツ３や下着４に着脱自在に取り付けられるものとしてもよい。こうすれば、健康増進布状体１０を、新しいものに取り替えることができるので、消耗品として取り扱うことができる。
【０１２９】
なお、上記した健康増進布状体１０，１０Ａ，１０Ｂ，１０Ｃや頭部装着体１，１Ａ、シーツ３、下着４などの構成は、各実施形態や図例に限定されることはなく、材質、寸法、形状なども限定されない。
【０１３０】
また、球状微粒子活性炭１２は、健康増進布状体１０，１０Ａ，１０Ｂ，１０Ｃ内に、密な状態に配してもよく、また、疎らな状態に配してもよい。
【０１３１】
また、各種機能性物質１２ｄ（図１（ｃ）参照）は、球状微粒子活性炭１２以外の部位に含有させてもよく、健康増進布状体１０，１０Ａ，１０Ｂ，１０Ｃのいずれかの部位に含有させてもよい。
【０１３２】
また、上記では、頭部装着体として帽子１や、ヘルメット２に用いられるインナーキャップ１Ｂ、ヘッドパッド１Ｃを例示したが、これに限定されない。頭部装着体としては、頭部に装着されるものであればよく、剣道の防具（面）などとしてもよい。また、人の頭部に被せられるものに限られず、動物や、実習用人体機器などの頭部に装着するものとしてもよい。
【０１３３】
また、健康増進布状体１０，１０Ａ，１０Ｂ，１０Ｃの本体部１ａへの取り付け箇所は、本体部１ａの内側面における縁近傍部位に限定されない。頭部に接触するように取り付ければよく、本体部１ａ内の種々の箇所に取り付けてもよい。また、健康増進布状体１０，１０Ａ，１０Ｂ，１０Ｃを環状に本体部１ａに設ける態様に限定されず、環を形成しないようにするか、あるいは複数の健康増進布状体１０，１０Ａ，１０Ｂ，１０Ｃを、互いに間隔を空けて設けるようにしてもよい。
【０１３４】
また、第２実施形態に係る頭部装着体１Ａが備える健康増進布状体１０Ｃの層構造は、例示のものに限定されず、各層の配置を異ならせてもよい。また、少なくとも構造体１００を備えたものであればよく、各層のいずれかを配さない態様としてもよい。
【０１３５】
また、健康増進布状体１０，１０Ａ，１０Ｂ，１０Ｃの一方の布体１１を通気性素材、他方の布体１１を防水性素材にしてもよい。このような形態の健康増進布状体１０，１０Ａ，１０Ｂ，１０Ｃであれば、敷布団やベッドの上に通気性素材である布体１１を皮膚に接せる側にして装着することで、老人や乳幼児等の失禁に対して対応可能なオネショシーツとなる。失禁による排泄物や失禁による臭気を球状微粒子活性炭１２により吸着され、防水性素材である布体１１により、失禁が敷布団やベッドに到達しにくくなる。
【０１３６】
なお、防水性素材としては、ポリエチレンやポリウレタン等が好適に用いられるが、これらに限定されることはない。
【０１３７】
また、接着芯地２１を用いた健康増進布状体１０Ｃの場合、防水性素材は接着芯地２１を接着する際に加温により軟化しないよう耐熱温度が加温装置の温度より高いものが望ましい。耐熱温度が低い防水性素材を用いる場合は、片面のみが接着面の接着芯地２１を用いて布体１１、球状微粒子活性炭１２、接着芯地２１の順に積層して加温装置で接着し、むき出しになっている接着芯地２１の上から防水性素材の布体１１を被せて縫製や接着等で固着して健康増進布状体１０Ｃを製造してもよい。また、接着芯地２１を用いて布体同士を固着した後に、片方の布体１１の上から防水性素材の布体１１を固着することによって、片面が防水性素材である健康増進布状体１０Ｃを製造してもよく、その他の方法で製造されてもよい。
【０１３８】
また、以上の種々の健康増進布状体１０，１０Ａ，１０Ｂ，１０Ｃ、１０Ｄは上述したように体に身に着けるものに利用されるが、球状微粒子活性炭１２が外装体１００の内部の保持される構造であるため、外部に漏れ出るおそれはほとんどない。また、外装体１００（布シート１１）の一部に肌理の粗い部分があり球状微粒子活性炭１２が抜け出たとしても、球状微粒子活性炭１２は研磨剤ではないため衣服や体を黒く汚すおそれはない。
【符号の説明】
【０１３９】
１０，１０Ａ，１０Ｂ，１０Ｃ、１０Ｄ    健康増進布状体
１００                  外装体
１１，１１              一方側部材及び他方側部材（布シート）
１２                    球状微粒子活性炭
１２ｄ                  機能性物質、抗菌剤、消臭剤、芳香剤
１３                    樹脂層（樹脂性溶液層）
１４                    内袋
１８                    突起
２０                    クッション材
２１                    接着芯地
１，１Ａ                頭部装着体（帽子）
１Ｂ                    頭部装着体（インナーキャップ）
１Ｃ                    頭部装着体（ヘッドパッド）
１ａ                    本体部
２                      ヘルメット
３                      シーツ
４                      下着
【図１】
2018062729.tif 000003
【図２】
2018062729.tif 000004
【図３】
2018062729.tif 000005
【図４】
2018062729.tif 000006
【図５】
2018062729.tif 000007
【図６】
2018062729.tif 000008
【図７】
2018062729.tif 000009
【図８】
2018062729.tif 000010
【図９】
2018062729.tif 000011
【図１０】
2018062729.tif 000012